(57)【要約】【課題】  ラチス材の配置の自由度が高く、しかも、階段勾配の大きさにかかわらず常に調和のとれたラチス材の配置を可能とするトラス構造体を備えた階段を提供すること。【解決手段】  等間隔に配置された複数の上弦節点部材１を有する上弦材Ｕと、等間隔に配置された複数の下弦節点部材２を有する下弦材Ｌと、上弦材Ｕと下弦材Ｌとの間に配置される複数のラチス材３０とでトラス構造体Ｔ１を構成する。そして、ラチス材３０の一端側の連結ボルト３３を上弦節点部材１のボルト挿通孔に螺合し、その他端側の連結ボルト３３を下弦節点部材２のボルト挿通孔に螺合し、踏板Ｓを上弦節点部材１に固定する。【選択図】      図５
2005315034.tif 000002
【特許請求の範囲】
【請求項１】
上階と下階との間に架設されるトラス構造体と、
当該トラス構造体に支持される複数の踏板とを備える階段であって、
前記トラス構造体は、前記踏板の幅方向に並設された複数条の上弦材と、当該複数条の上弦材の下方において当該各上弦材と平行に配設された少なくとも一条の下弦材と、前記各上弦材と前記各下弦材との間に配置された複数のラチス材と、を有しており、
前記各上弦材は、等間隔に配置された複数の上弦節点部材を有しており、
前記各下弦材は、等間隔に配置された複数の下弦節点部材を有しており、
前記各ラチス材には、その両端に連結ボルトが装着されており、
前記各上弦節点部材および前記各下弦節点部材には、前記各ラチス材の連結ボルトが螺合されるボルト挿通孔が形成されており、
前記各ラチス材の一端側の連結ボルトが前記各上弦節点部材のボルト挿通孔に螺合されており、その他端側の連結ボルトが前記各下弦節点部材のボルト挿通孔に螺合されており、
前記各踏板が前記各上弦節点部材に固定されていることを特徴とする階段。
【請求項２】
前記各上弦材は、階段傾斜方向に沿って配置された一本の上側通し材を有しており、当該上側通し材に前記複数の上弦節点部材が固定されており、
前記各下弦材は、階段傾斜方向に沿って配置された一本の下側通し材を有しており、当該下側通し材に前記複数の下弦節点部材が固定されていることを特徴とする請求項１に記載の階段。
【請求項３】
前記各上弦材は、階段傾斜方向に隣り合う前記上弦節点部材間に配置された上弦フレーム材を有しており、
前記各下弦材は、階段傾斜方向に隣り合う前記下弦節点部材間に配置された下弦フレーム材を有しており、
前記上弦フレーム材および前記下弦フレーム材には、その両端に連結ボルトが装着されており、
前記各上弦節点部材には、前記各上弦フレーム材の連結ボルトが螺合されるボルト挿通孔が形成されており、
前記各下弦節点部材には、前記各下弦フレーム材の連結ボルトが螺合されるボルト挿通孔が形成されており、
前記各上弦フレーム材の各連結ボルトが前記各上弦節点部材のボルト挿通孔に螺合されており、
前記各下弦フレーム材の各連結ボルトが前記各下弦節点部材のボルト挿通孔に螺合されていることを特徴とする請求項１に記載の階段。
【請求項４】
隣り合う前記上弦材間に複数の上弦連結材が配設されており、
前記各上弦連結材には、その両端に連結ボルトが装着されており、
前記各上弦節点部材には、前記各上弦連結材の連結ボルトが螺合されるボルト挿通孔が形成されており、
前記各上弦連結材の各連結ボルトが前記各上弦節点部材のボルト挿通孔に螺合されていることを特徴とする請求項１乃至請求項３のいずれか一項に記載の階段。
【請求項５】
前記各踏板が前記各上弦連結材に載置されていることを特徴とする請求項１乃至請求項４のいずれか一項に記載の階段。
【請求項６】
前記各踏板が、左右方向に隣り合う前記上弦節点部材間に架設された踏板受材に載置されていることを特徴とする請求項１乃至請求項４のいずれか一項に記載の階段。
【請求項７】
前記トラス構造体は、二条以上の前記下弦材を有しており、
隣り合う前記下弦材間に複数の下弦連結材が配設されており、
前記各下弦連結材には、その両端に連結ボルトが装着されており、
前記各下弦節点部材には、前記各下弦連結材の連結ボルトが螺合されるボルト挿通孔が形成されており、
前記各下弦連結材の各連結ボルトが前記各下弦節点部材のボルト挿通孔に螺合されていることを特徴とする請求項１乃至請求項６のいずれか一項に記載の階段。
【請求項８】
前記トラス構造体の左右の構面が逆ハ字状に対向していることを特徴とする請求項１乃至請求項７のいずれか一項に記載の階段。
【請求項９】
前記トラス構造体の構面内に補強板が取り付けられていることを特徴とする請求項１乃至請求項８に記載の階段。
【発明の詳細な説明】
【技術分野】
【０００１】
本発明は、階段に関する。
【背景技術】
【０００２】
外観をすっきりとさせた階段として、左右の側桁をトラス構造体で構成したものが特許文献１に記載されている。この階段のトラス構造体は、上弦材および下弦材と、上弦材と下弦材との間に配置された複数のラチス材とで構成されている。また、ラチス材には、水平に配置されたものと鉛直に配置されたものとがあり、水平に配置されたラチス材で踏板の側端部が支持されている。
【特許文献１】特開２００３−３２８５２０公報（図３）
【発明の開示】
【発明が解決しようとする課題】
【０００３】
ところが、特許文献１に係る階段では、その外観はすっきりとするものの、水平に配置されたラチス材で踏板を支持する構成であるが故に、ラチス材の配置の自由度が低く、また、階段勾配の大きさによっては、水平に配置されたラチス材の長さと鉛直に配置されたラチス材の長さのバランスが崩れることもあり、この場合には、トラス構造体の美観に悪影響を及ぼすことになる。
【０００４】
そこで、本発明は、ラチス材の配置の自由度が高く、しかも、階段勾配の大きさにかかわらず常に調和のとれたラチス材の配置を可能とするトラス構造体を備えた階段を提供することを課題とする。
【課題を解決するための手段】
【０００５】
このような課題を解決するために創案された本発明は、上階と下階との間に架設されるトラス構造体と、当該トラス構造体に支持される複数の踏板とを備える階段であって、前記トラス構造体は、前記踏板の幅方向に並設された複数条の上弦材と、当該複数条の上弦材の下方において当該各上弦材と平行に配設された少なくとも一条の下弦材と、前記各上弦材と前記各下弦材との間に配置された複数のラチス材と、を有しており、前記各上弦材は、等間隔に配置された複数の上弦節点部材を有しており、前記各下弦材は、等間隔に配置された複数の下弦節点部材を有しており、前記各ラチス材には、その両端に連結ボルトが装着されており、前記各上弦節点部材および前記各下弦節点部材には、前記各ラチス材の連結ボルトが螺合されるボルト挿通孔が形成されており、前記各ラチス材の一端側の連結ボルトが前記各上弦節点部材のボルト挿通孔に螺合されており、その他端側の連結ボルトが前記各下弦節点部材のボルト挿通孔に螺合されており、前記各踏板が前記各上弦節点部材に固定されていることを特徴とする。
【０００６】
かかる階段は、各踏板を上弦節点部材に固定する構成であることから、ラチス材を水平に配置する必要がない。つまり、この階段は、ラチス材の配置の自由度が高く、しかも、階段勾配の大きさにかかわらず常に調和のとれたラチス材の配置が可能となる。
【０００７】
本発明に係る階段においては、前記各上弦材は、階段傾斜方向に沿って配置された一本の上側通し材を有しており、当該上側通し材に前記複数の上弦節点部材が固定されており、前記各下弦材は、階段傾斜方向に沿って配置された一本の下側通し材を有しており、当該下側通し材に前記複数の下弦節点部材が固定されているものであってもよい。
【０００８】
このようにすると、一本の上側通し材に複数の上弦節点部材を等間隔に配置して固定するだけで上弦材が構成され、同様に、一本の下側通し材に複数の下弦節点部材を等間隔に配置して固定するだけで下弦材が構成されるので、階段の製造が容易になる。なお、上側通し材および下側通し材としては、例えば、押出形材を使用することができる。
これによれば、上弦材および下弦材が通し材を利用して構成されているので節点部で結合箇所が少なくなり組立が容易となる。
【０００９】
本発明に係る階段においては、前記各上弦材は、階段傾斜方向に隣り合う前記上弦節点部材間に配置された上弦フレーム材を有しており、前記各下弦材は、階段傾斜方向に隣り合う前記下弦節点部材間に配置された下弦フレーム材を有しており、前記上弦フレーム材および前記下弦フレーム材には、その両端に連結ボルトが装着されており、前記各上弦節点部材には、前記各上弦フレーム材の連結ボルトが螺合されるボルト挿通孔が形成されており、前記各下弦節点部材には、前記各下弦フレーム材の連結ボルトが螺合されるボルト挿通孔が形成されており、前記各上弦フレーム材の各連結ボルトが前記各上弦節点部材のボルト挿通孔に螺合されており、前記各下弦フレーム材の各連結ボルトが前記各下弦節点部材のボルト挿通孔に螺合されているものであってもよい。
【００１０】
つまり、かかる階段は、複数の上弦フレーム材を階段傾斜方向に連設して上弦材を構成し、同様に、複数の下弦フレーム材を階段傾斜方向に連設して下弦材を構成したものである。このようにすると、上弦フレーム材および下弦フレーム材の本数を増減させるだけで、上弦材および下弦材の長さを調節することが可能となる。
【００１１】
本発明に係る階段においては、隣り合う前記上弦材間に複数の上弦連結材が配設されており、前記各上弦連結材には、その両端に連結ボルトが装着されており、前記各上弦節点部材には、前記各上弦連結材の連結ボルトが螺合されるボルト挿通孔が形成されており、前記各上弦連結材の各連結ボルトが前記各上弦節点部材のボルト挿通孔に螺合されているものであってもよい。
【００１２】
このようにすると、トラス構造体のねじり剛性および左右方向の曲げ剛性が向上するので、階段昇降時に生じるねじれや横揺れを小さくすることができる。なお、前記各上弦連結材に前記各踏板を載置してもよい。つまり、上弦連結材を介して踏板を上弦節点部材に固定してもよい。
【００１３】
本発明に係る階段においては、前記各踏板が、左右方向に隣り合う前記上弦節点部材間に架設された踏板受材に載置されているものであってもよい。つまり、踏板受材を介して踏板を上弦節点部材に固定してもよい。
【００１４】
このようにすると、左右の上弦材が踏板受材によって互いに連結されて一体になるので、その左右方向の変位・変形がより一層小さくなる。すなわち、階段全体の左右方向の曲げ剛性が向上するので、階段昇降時の横揺れを大幅に抑制することができる。また、踏板の中央部が踏板受材によって支持されることになるので、踏板の撓みも小さくなる。
【００１５】
本発明に係る階段においては、前記トラス構造体は、二条以上の前記下弦材を有しており、隣り合う前記下弦材間に複数の下弦連結材が配設されており、前記各下弦連結材には、その両端に連結ボルトが装着されており、前記各下弦節点部材には、前記各下弦連結材の連結ボルトが螺合されるボルト挿通孔が形成されており、前記各下弦連結材の各連結ボルトが前記各下弦節点部材のボルト挿通孔に螺合されているものであってもよい。
【００１６】
このようにすると、トラス構造体のねじり剛性および左右方向の曲げ剛性が向上するので、階段昇降時に生じるねじれや横揺れを小さくすることができる。
【００１７】
本発明に係る階段においては、前記トラス構造体の左右の構面が逆ハ字状に対向しているものであってもよい。
【００１８】
このようにすると、その外観がすっきりとしたものになり、看者に軽快な印象を与えることができる。また、左右の構面を鉛直にした場合と比べて、階段下の空間も広くなる。なお、左右の構面とは、上弦材と下弦材とを含む平面のことをいう。
【００１９】
本発明に係る階段においては、前記トラス構造体の構面内に補強板が取り付けられているものであってもよい。
【００２０】
このようにすると、トラス構造体のねじり剛性および上下方向の曲げ剛性が向上するので、階段昇降時に生じるねじれや揺れを小さくすることができる。なお、補強板は、トラス構造体の左右の構面だけでなく、上下の構面に取り付けてもよい。ここで、「上」の構面とは、二条以上の上弦材を含む平面のことをいい、「下」の構面とは、二条以上の下弦材を含む平面のことをいう。
【発明の効果】
【００２１】
本発明によると、ラチス材の配置の自由度が高く、しかも、階段勾配の大きさにかかわらず常に調和のとれたラチス材の配置を可能とするトラス構造体を備えた階段を得ることができる。
【発明を実施するための最良の形態】
【００２２】
以下、本発明を実施するための最良の形態を、添付した図面を参照しつつ詳細に説明する。
【００２３】
＜第一の実施形態＞
第一の実施形態に係る階段は、図１および図２に示すように、上階Ｆ２と下階Ｆ１との間に架設されるトラス構造体Ｔ１と、このトラス構造体Ｔ１に支持される複数の踏板Ｓ，Ｓ，…とを備えて構成されている。また、踏板Ｓ，Ｓ，…の側端部の上方には、階段勾配で傾斜する手摺Ｒ１が配設されており、各踏板Ｓには、手摺Ｒ１を支持する手摺支柱Ｒ２が立設されている。
【００２４】
トラス構造体Ｔ１は、踏板Ｓの幅方向に並設された二条の上弦材Ｕ，Ｕと、この上弦材Ｕ，Ｕの中間下方において各上弦材Ｕと平行に配設された二条の下弦材Ｌ，Ｌと、各上弦材Ｕと各下弦材Ｌとの間に配置された複数のラチス材３０，３０，…とを有しており、さらに本実施形態では、図３および図４に示すように、左右方向に隣り合う上弦材Ｕ，Ｕ間に複数の上弦連結材４０，４０，…が配設されており、左右方向に隣り合う下弦材Ｌ，Ｌ間に複数の下弦連結材５０，５０，…が配設されている。また、図５（ｂ）にも示すように、トラス構造体Ｔ１は、その左右の構面が逆ハ字状に対向しており、階段傾斜方向から見た形状が逆さ台形を呈している。なお、図５（ｂ）においては、図５（ａ）に示す踏板Ｓおよび後記する踏板支持フレーム材６０の図示を省略している。
【００２５】
上弦材Ｕは、図４および図５（ａ）に示すように、階段傾斜方向（図４では上下方向）に沿って等間隔に配置された複数の上弦節点部材１，１，…と、階段傾斜方向に連設された複数の上弦フレーム材１０，１０，…とを有している。
【００２６】
上弦節点部材１には、階段傾斜方向に隣り合う上弦フレーム材１０，１０と、階段傾斜方向に隣り合うラチス材３０，３０と、上弦連結材４０と、踏板支持フレーム材６０（図３参照）とが接続される。上弦節点部材１は、図６に示すように、全体として球状を呈するアルミニウム合金製の部材からなり、その中心に向かって穿設された複数のボルト挿通孔１ａ，１ｂ，１ｃ，１ｄを有している。また、上弦節点部材１の各ボルト挿通孔１ａ等の周囲には、上弦フレーム材１０等の端面が密着する取付面１ｅが形成されている。複数のボルト挿通孔１ａ，１ｂ，１ｃ，１ｄは、上弦節点部材１に接続される上弦フレーム材１０，１０、ラチス材３０，３０、上弦連結材４０および踏板支持フレーム材６０に対応している（図５（ａ），（ｂ）参照）。つまり、本実施形態では、上弦節点部材１は、上弦フレーム材１０の端部に装着された連結ボルト１３が螺合される二つのボルト挿通孔１ａ，１ａと、ラチス材３０の端部に装着された連結ボルト３３（図５（ａ），（ｂ）参照）が螺合される二つのボルト挿通孔１ｂ，１ｂ（図６では一つのみを図示している）と、上弦連結材４０の端部に装着された連結ボルト４３（図５（ｂ）参照）が螺合される一つのボルト挿通孔１ｃと、踏板支持フレーム材６０の端部に装着された連結ボルト６３（図５（ａ）参照）が螺合される一つのボルト挿通孔１ｄとを備えている。
【００２７】
上弦フレーム材１０は、図４に示すように、階段傾斜方向に隣り合う上弦節点部材１，１間に配置されており、上弦節点部材１を介して階段傾斜方向に隣り合う他の上弦フレーム材１０と連結されている。図６に示すように、上弦フレーム材１０は、円管状の本体部１１と、この本体部１１の開口部を閉塞する円板状のエンドプラグ１２と、このエンドプラグ１２のボルト挿通孔１２ａに本体部１１側から挿入される連結ボルト１３と、この連結ボルト１３の軸部１３ａに環装される回動体１４とを備えて構成されている。なお、図６では、上弦フレーム材１０の一方の端部側のみを図示しているが、図示せぬ他方の端部側も同一の構成を備えている。つまり、上弦フレーム材１０には、その両端に連結ボルト１３，１３が装着されており、各連結ボルト１３が上弦節点部材１のボルト挿通孔１ａに螺合される。
【００２８】
本体部１１は、アルミニウム合金製の中空押出形材からなる。なお、本体部１１の断面形状は、円形のものに限定されることはなく、多角形状のものであってもよい。
【００２９】
エンドプラグ１２は、アルミニウム合金製の板材からなり、本体部１１の端部に摩擦圧接や溶接により固着される。
【００３０】
連結ボルト１３は、エンドプラグ１２のボルト挿通孔１２ａに本体部１１側から挿入され、その軸部１３ａがエンドプラグ１２の端面１２ｂから突出する。なお、連結ボルト１３の中心線と本体部１１の中心線とは一致している。また、図７（ａ）に示すように、軸部１３ａには、連結ボルト１３が最も引っ込んだ状態においてエンドプラグ１２の端面１２ｂに当接する一対の係止部１３ｂ，１３ｂが突設されている。この係止部１３ｂ，１３ｂは、図６に示すように、軸部１３に穿設されたピン孔１３ｃに軸部１３の直径よりも長いピン１３ｄを嵌入することにより形成される。なお、係止部１３ｂ，１３ｂは、連結ボルト１３の本体部１１側への抜け出しを防止するストッパとしても機能する。
【００３１】
回動体１４は、アルミニウム合金製の鋳造品、鍛造品若しくは切削品からなり、図６に示すように、エンドプラグ１２の端面１２ｂに当接する短柱状の基部１４ａと、この基部１４ａと一体に成形された円錐台部１４ｂとを備えている。回動体１４の中央には、基部１４ａのエンドプラグ１２側の端面１４ｃから円錐台部１４ｂの上側節点部材１側の端面１４ｄに至る貫通孔１４ｅが穿設されており、さらに、貫通孔１４ｅの中心線を挟んで対向する一対のガイド溝１４ｆ，１４ｆが当該中心線に沿って形成されている。貫通孔１４ｅには、連結ボルト１３の軸部１３ａが挿通され、一対のガイド溝１４ｆ，１４ｆには、連結ボルト１３の係止部１３ｂ，１３ｂが係合する。つまり、連結ボルト１３は、その係止部１３ｂ，１３ｂが回動体１４のガイド溝１４ｆ，１４ｆに係合するが故に回動体１４とともに回動し、さらに、ガイド溝１４ｆ，１４ｆが回動体１４の中心線に沿って形成されているが故に中心線方向に進退する。なお、図７（ａ）に示すように、回動体１４の長さは、連結ボルト１３の係止部１３ｂ，１３ｂがエンドプラグ１２の端面１２ｂに当接したときに端面１２ｂから突出している軸部１３ａの長さよりも若干小さい。
【００３２】
上弦フレーム材１０を上弦節点部材１に接続するには、図７（ａ）に示すように、回動体１４の端面１４ｄを上弦節点部材１の取付面１ｅに当接させて回動体１４の端面から僅かに突出する連結ボルト１３の軸部１３ａの先端を上弦節点部材１のボルト挿通孔１ａに挿入したうえで、図７（ｂ）に示すように、回動体１４を介して連結ボルトを回転させて連結ボルト１３の軸部１３ａを上弦節点部材１のボルト挿通孔１ａに螺合すればよい。なお、各ボルト挿通孔１ａが上弦節点部材１の中心に向かって穿設されており、且つ、連結ボルト１３の中心線が本体部１１の中心線と一致していることから、上弦節点部材１に接続される上弦フレーム材１０の中心線は、上弦節点部材１の中心を通ることになる。
【００３３】
下弦材Ｌは、図４および図５（ａ）に示すように、階段傾斜方向（図４では上下方向）に沿って等間隔に配置された複数の下弦節点部材２，２，…と、階段傾斜方向に連設された複数の下弦フレーム材２０，２０，…とを有している。
【００３４】
下弦節点部材２には、階段傾斜方向に隣り合う下弦フレーム材２０，２０と、階段傾斜方向に隣り合うラチス材３０，３０と、下弦連結材５０とが接続されている。なお、下弦節点部材２の細部の構成は、前記した上弦節点部材１の構成と同様であるので、その詳細な説明は省略するが、下弦節点部材２には、下弦フレーム材２０の端部に装着された連結ボルト２３（図５（ａ）参照）が螺合される二つのボルト挿通孔と、ラチス材３０の端部に装着された連結ボルト３３（図５（ａ）参照）が螺合される二つのボルト挿通孔と、下弦連結材５０の端部に装着された連結ボルト５３（図５（ｂ）参照）が螺合される一つのボルト挿通孔とが、それぞれ中心に向かって穿設されている。
【００３５】
下弦フレーム材２０は、階段傾斜方向に隣り合う下弦節点部材２，２間に配置されており、下弦節点部材２を介して階段傾斜方向に隣り合う他の下弦フレーム材２０と連結されている。なお、下弦フレーム材２０の細部の構成は、前記した上弦フレーム材１０の構成と同様であるので、その詳細な説明を省略するが、図５（ａ）に示すように、下弦フレーム材２０の両端には、図６に示す連結ボルト１３と同一構成の連結ボルト２３が装着されている。
【００３６】
また、下弦フレーム材２０を下弦節点部材２に接続する手順も、上弦フレーム材１０を上弦節点部材１に接続する手順と同様であるので、その詳細な説明を省略するが、下弦フレーム材２０の両端に装着された連結ボルト２３，２３のそれぞれを下弦節点部材２のボルト挿通孔に螺合すればよい。
【００３７】
複数のラチス材３０，３０，…は、図４に示すように、上弦材Ｕと下弦材Ｌとを含む構面（平面）内においてジグザグ状に配置されており、各ラチス材３０は、その一端が上弦節点部材１に接続されており、その他端が下弦節点部材２に接続されている。なお、ラチス材３０の細部の構成は、前記した上弦フレーム材１０の構成と同様であるので、その詳細な説明を省略するが、図５（ａ），（ｂ）に示すように、ラチス材３０の両端には、図６に示す連結ボルト１３と同一構成の連結ボルト３３が装着されている。
【００３８】
また、ラチス材３０を上弦節点部材１および下弦節点部材２に接続する手順も、上弦フレーム材１０を上弦節点部材１に接続する手順と同様であるので、その詳細な説明を省略するが、ラチス材３０の一端側に装着された連結ボルト３３を上弦節点部材１のボルト挿通孔１ｂ（図６参照）に螺合するとともに、その他端側に装着された連結ボルト３３を下弦節点部材２の図示せぬボルト挿通孔に螺合すればよい。
【００３９】
複数の上弦連結材４０，４０，…は、図４に示すように、左右方向に隣り合う上弦材Ｕ，Ｕを含む構面（平面）内において梯子状に配置されており、各上弦連結材４０の両端は、それぞれ同一高さに位置する上弦節点部材１，１に接続されている。図５（ｂ）に示すように、上弦連結材４０の両端には、図６に示す連結ボルト１３と同一構成の連結ボルト４３，４３が装着されている。また、上弦連結材４０の本体部４１（図３参照）の上部には、踏板載置部４２が一体に形成されている。踏板載置部４２は、その上面が水平面になっており、踏板Ｓの裏面に当接する。なお、上弦連結材４０のその他の構成は、前記した上弦フレーム材１０の構成と同様であるので、その詳細な説明を省略する。
【００４０】
また、上弦連結材４０を上弦節点部材１に接続する手順も、上弦フレーム材１０を上弦節点部材１に接続する手順と同様であるので、その詳細な説明を省略するが、上弦連結材４０の両端に装着された連結ボルト４３，４３のそれぞれを上弦節点部材１のボルト挿通孔１ｃ（図５、図６参照）に螺合すればよい。
【００４１】
複数の下弦連結材５０，５０，…は、図４に示すように、左右方向に隣り合う下弦材Ｌ，Ｌを含む構面（平面）内において梯子状に配置されており、各下弦連結材５０の両端は、それぞれ同一高さに位置する下弦節点部材２，２に接続されている。なお、下弦連結材５０の細部の構成は、前記した上弦フレーム材１０の構成と同様であるので、その詳細な説明を省略するが、図５（ｂ）に示すように、下弦連結材５０の両端には、図６に示す連結ボルト１３と同一構成の連結ボルト５３，５３が装着されている。
【００４２】
また、下弦連結材５０を下弦節点部材２に接続する手順も、上弦フレーム材１０を上弦節点部材１に接続する手順と同様であるので、その詳細な説明を省略するが、下弦連結材５０の両端に装着された連結ボルト５３，５３のそれぞれを下弦節点部材２の図示せぬボルト挿通孔に螺合すればよい。
【００４３】
各踏板支持フレーム材６０は、図５（ａ）に示すように、その一端が上弦節点部材１に接続されており、その他端が踏板Ｓの裏側に形成された固定部Ｓ１に接続されている。なお、各踏板支持フレーム材６０の細部の構成は、前記した上弦フレーム材１０の構成と同様であるので、その詳細な説明を省略するが、踏板支持フレーム材６０の両端には、図５に示す連結ボルト１３と同一構成の連結ボルト６３，６３が装着されている。
【００４４】
また、踏板支持フレーム材６０を上弦節点部材１に接続する手順は、上弦フレーム材１０を上弦節点部材１に接続する手順と同様であるので、その詳細な説明を省略するが、図５（ａ）に示すように、踏板支持フレーム材６０の一端側に装着された連結ボルト６３を上弦節点部材１のボルト挿通孔１ｄ（図５参照）に螺合するとともに、その他端側に装着されたの連結ボルト６３を踏板Ｓの固定部Ｓ１に形成された図示せぬボルト挿通孔に螺合すればよい。
【００４５】
各踏板Ｓは、木製や金属製などの板材からなり、図５（ａ）に示すように、その後側が上弦連結材４０の踏板載置部４２に載置固定されており、その前側が踏板支持フレーム材６０，６０に支持されている。つまり、各踏板Ｓは、上弦連結材４０および踏板支持フレーム材６０，６０を介して同一高さに配置された左右一対の上弦節点部材１，１に対して固定されている。なお、踏板Ｓの裏面には、固定部Ｓ１が凹設されており、この固定部Ｓ１には、図示せぬボルト挿通孔が形成されている。
【００４６】
なお、本実施形態では、左右の上弦節点部材１，１に固定された上弦連結材４０の踏板載置部４２の上面に踏板Ｓを載置固定する構成としたが、例えば、左右の上弦節点部材１，１間に架設した図示せぬ踏板受材の上面に踏板Ｓを載置固定する構成であってもよく、さらには、左右の上弦節点部材１，１に直接に踏板Ｓを載置固定する構成であってもよい。
【００４７】
次に、階段の構築手順を、図２および図５（ａ）を参照して説明する。
まず、図２に示すように、トラス構造体Ｔ１を、下階Ｆ１と上階Ｆ２との間に架設する。つまり、トラス構造体Ｔ１の下端をサポートシューを介して下階Ｆ１の床面等に固定するとももに、その上端をサポートシューを介して上階Ｆ２の壁等に固定する。なお、トラス構造体Ｔ１は、工場等において前記した各種部材を連結することで構築される。
【００４８】
次に、図５（ａ）に示すように、踏板載置部４２の上面に踏板Ｓの後側を載置しつつ上弦節点部材１と踏板Ｓの固定部Ｓ１との間に踏板支持フレーム材６０を配置し、踏板Ｓの後端を適宜ボルトやねじ等で踏板載置部４２の上面に固定する。
【００４９】
最後に、各踏板Ｓの側端部に手摺支柱Ｒ２を立設し、その上端に手摺Ｒ１（図２参照）を固定すると、階段の構築が完了する。
【００５０】
なお、前記した階段の構築手順は適宜変更してもよく、例えば、工場等でトラス構造体Ｔ１と複数の踏板Ｓ，Ｓ，…とを一体にしたうえで、施工現場に搬入しても勿論差し支えない。
【００５１】
以上説明した本実施形態に係る階段は、溝形鋼やＩ形鋼のような重厚な部材で踏板を支持する従来の階段と異なり、軽構造かつ軽やかなトラス構造体Ｔ１で踏板Ｓ，Ｓ，…を支持する構成なので、明るく開放感があり、室内に構築しても圧迫感が無い。しかも、図５（ｂ）に示すように、トラス構造体Ｔ１の左右の構面が逆ハ字状に対向しているので、シャープで斬新な印象を看者に与えることができる。また、左右の構面を鉛直にした場合と比べて、階段下の空間も広くなる。
【００５２】
また、この階段は、上弦連結材４０および踏板支持フレーム材６０を介して各踏板Ｓを上弦節点部材１，１に固定する構成であることから、ラチス材３０を水平に配置する必要がない。つまり、本実施形態に係る階段は、ラチス材３０の配置の自由度が高く、しかも、階段勾配の大きさにかかわらず常に調和のとれたラチス材３０の配置が可能となる。
【００５３】
また、図４に示すように、複数の上弦フレーム材１０，１０，…を長手方向に連設して上弦材Ｕを構成し、同様に、複数の下弦フレーム材２０，２０，…を長手方向に連設して下弦材Ｌを構成しているので、上弦フレーム材１０および下弦フレーム材２０の本数を増減させるだけで、上弦材Ｕおよび下弦材Ｌの長さを容易に調節することが可能となる。つまり、階高が異なる場合であっても、上弦フレーム材１０および下弦フレーム材２０の本数を増減させるだけで、対応することが可能となる。
【００５４】
さらに、上弦フレーム材１０、下弦フレーム材２０、ラチス材３０、上弦連結材４０、下弦連結材５０および踏板支持フレーム材６０は、その長さが異なるだけで、その端部の構造等はほとんど同一であるので、部品の種類を大幅に削減することが可能となり、ひいては、階段の低コスト化を実現することが可能となる。
【００５５】
また、左右方向に隣り合う上弦材Ｕ，Ｕ同士を複数の上弦連結材４０，４０，…で互いに連結し、同様に、左右に隣り合う下弦材Ｌ，Ｌ同士を複数の下弦連結材５０，５０，…で互いに連結したので、トラス構造体Ｔ１のねじり剛性および左右方向の曲げ剛性が高く、したがって、階段昇降時に生じるねじれや横揺れが小さくなる。
【００５６】
なお、トラス構造体Ｔ１のねじり剛性および左右方向の曲げ剛性をより一層向上させるべく、図示は省略するが、上弦材Ｕ，Ｕ同士を連結する上弦連結材を上弦材Ｕに対して斜めに配置してもよい。この場合の上弦連結材の両端は、それぞれ異なる高さに位置する上弦節点部材１，１に接続されることになる。
【００５７】
同様に、トラス構造体Ｔ１のねじり剛性および左右方向の曲げ剛性をより一層向上させるべく、図示は省略するが、下弦材Ｕ，Ｕ同士を連結する下弦連結材を下弦材Ｕに対して斜めに配置してもよい。
【００５８】
さらに、トラス構造体Ｔ１のねじり剛性および上下方向の曲げ剛性をより一層向上させるべく、図８（ａ）に示すように、トラス構造体Ｔ１の左右の構面内に複数の補強板７０，７０，…を取り付けてもよい。
【００５９】
ここで、各補強板７０は、側面視三角形を呈するアクリル製やアルミニウム合金製の板材からなり、上弦フレーム材１０と二本のラチス材３０，３０とで囲まれてなる三角形領域、若しくは、下弦フレーム材２０と二本のラチス材３０，３０とで囲まれてなる三角形領域に配設されている。
【００６０】
この上弦フレーム材１０の本体部１１には、図８（ｂ）に示すように、その側方に向かって張り出す張出片１９が長手方向に沿って形成されており、この張出片１９に補強板７０の一辺が固定されている。また、ラチス材３０の本体部３１の両側には、図８（ｃ）に示すように、その側方に向かって張り出す張出片３９，３９が長手方向に沿って形成されており、各張出片３９に補強板７０の一辺が固定されている。
【００６１】
なお、図示は省略するが、トラス構造体Ｔ１の上下の構面内、言い換えれば、左右の上弦材Ｕ，Ｕを含む平面内か、あるいは左右の下弦材Ｌ，Ｌを含む平面内に補強板を取り付けてもよい。
【００６２】
＜第二の実施形態＞
第一の実施形態に係る階段のトラス構造体Ｔ１は、その左右の構面が逆ハ字状に対向しているものであったが（図５（ｂ）参照）、図９に示す第二の実施形態に係る階段のトラス構造体Ｔ２のように、その左右の構面が互いに平行に対向しているものであってもよい。
【００６３】
第二の実施形態に係る階段は、上階Ｆ２と下階Ｆ１との間に架設されるトラス構造体Ｔ２と、このトラス構造体Ｔ２に支持される複数の踏板Ｓ，Ｓ，…とを備えて構成されている。また、踏板Ｓ，Ｓ，…の側端部の上方には、階段勾配で傾斜する手摺Ｒ１が配設されており、トラス構造体Ｔ２には、手摺Ｒ１を支持する手摺支柱Ｒ２が立設されている。
【００６４】
トラス構造体Ｔ２は、踏板Ｓの幅方向に並設された二条の上弦材Ｕ，Ｕと、この上弦材Ｕ，Ｕの下方において各上弦材Ｕと平行に配設された二条の下弦材Ｌ，Ｌと、各上弦材Ｕと各下弦材Ｌとの間に配置された複数のラチス材３０，３０，…とを有しており、さらに本実施形態では、図１０に示すように、隣り合う上弦材Ｕ，Ｕ間に複数の上弦連結材４０，４０，…が配設されており、隣り合う下弦材Ｌ，Ｌ間に複数の下弦連結材５０，５０，…が配設されている。また、図１１（ｂ）にも示すように、トラス構造体Ｔ２は、その左右の構面がそれぞれ鉛直面になっており、階段傾斜方向から見た形状が長方形を呈している。なお、図１１（ｂ）においては、図１１（ａ）に示す踏板Ｓおよび手摺支柱Ｒ２の図示を省略している。
【００６５】
上弦材Ｕは、図１０に示すように、階段傾斜方向に沿って等間隔に配置された複数の上弦節点部材１，１，…と、階段傾斜方向に連設された複数の上弦フレーム材１０，１０，…とを有している。ここで、上弦節点部材１の構成は、第一の実施形態のものとボルト挿通孔の位置が異なるだけで、その他の構成は同様であり、また、上弦フレーム材１０の構成は、第一の実施形態のものと同様であるので、これらの詳細な説明は省略する。なお、図中右側に位置する上弦節点部材１には、鉛直方向に沿ってボルト挿通孔１ｆが穿設されている。
【００６６】
下弦材Ｌは、階段傾斜方向に沿って等間隔に配置された複数の下弦節点部材２，２，…と、階段傾斜方向に連設された複数の下弦フレーム材２０，２０，…とを有している。ここで、下弦節点部材２の構成は、第一の実施形態のものとボルト挿通孔の位置が異なるだけで、その他の構成は同様であり、また、下弦フレーム材２０の構成は、第一の実施形態のものと同様であるので、これらの詳細な説明は省略する。
【００６７】
ラチス材３０、上弦連結材４０、下弦連結材５０および踏板支持フレーム材６０の構成も、その長さを除いて第一の実施形態のものと同様であるので、これらの詳細な説明は省略する。なお、踏板支持フレーム材６０の踏板Ｓ側の端部は、踏板Ｓの側部に突設された取付部Ｓ１（図１１（ａ）参照）に接続されている。
【００６８】
手摺支柱Ｒ２は、図１１（ａ）に示すように、その下端が上弦節点部材１に接続されている。ここで、手摺支柱Ｒ２の下端には、連結ボルトＲ２３が装着されており、この連結ボルトＲ２３が上弦節点部材１のボルト挿通孔１ｆ（図１０参照）に螺合されている。なお、この連結ボルトＲ２３の軸部には、回動体Ｒ２４が環装されている。すなわち、手摺支柱Ｒ２の下端部の構成は、図６に示す上弦フレーム材１０の端部の構成と同一として、回動体Ｒ２４を介して連結ボルト２３を回転させることができる。つまり、手摺支柱Ｒ２を上弦節点部材１に接続するには、回動体Ｒ２４を介して連結ボルトＲ２３を回転させて、その軸部を上弦節点部材１のボルト挿通孔１ｆ（図１０参照）に螺合すればよい。なお、手摺支柱Ｒ２は、単にその下端にボルトを形成したものとしてもよく、この場合には、手摺支柱Ｒ２自体を回転して当該ボルトを上弦節点部材１のボルト挿通孔１ｆに螺合すればよい。また、手摺支柱Ｒ２の中間部は、適宜その上段の踏板Ｓに固定される。
【００６９】
以上説明した本実施形態に係る階段も、溝形鋼やＩ形鋼のような重厚な部材で踏板を支持する従来の階段と異なり、軽構造かつ軽やかなトラス構造体Ｔ２で踏板Ｓ，Ｓ，…を支持する構成なので、明るく開放感があり、室内に構築しても圧迫感が無い。しかも、図９に示すように、トラス構造体Ｔ２の左右の構面が互いに平行に対向しているので、斬新でありながらもオーソドックスな印象を看者に与えることができる。
【００７０】
また、この階段は、各踏板Ｓを上弦連結材４０および踏板支持フレーム材６０を介して上弦節点部材１，１に固定する構成であることから、ラチス材３０を水平に配置する必要がない。つまり、本実施形態に係る階段は、ラチス材３０の配置の自由度が高く、しかも、階段勾配の大きさにかかわらず常に調和のとれたラチス材３０の配置が可能となる。
【００７１】
また、手摺支柱Ｒ２の下端に連結ボルトＲ２３を装着し、この連結ボルトＲ２３を利用して手摺支柱Ｒ２を上弦節点部材１に接続する構成としたので、手摺支柱Ｒ２の取付作業を簡易迅速に行うことが可能となる。さらに、手摺支柱Ｒ２の下端部分の構造を上弦フレーム材１０等の端部の構造と同様にすることにより、統一的なデザインを得ることができる。
【００７２】
なお、本実施形態では、二条の上弦材Ｕ，Ｕと二条の下弦材Ｌ，Ｌとでトラス構造体Ｔ３を構成したが、上弦材Ｕの条数および下弦材Ｌの条数はこれに限定されることはなく、適宜変更しても差し支えない。例えば、図示は省略するが、三条以上の上弦材とこれと同数の下弦材とでトラス構造体を構成してもよい。
【００７３】
＜第三の実施形態＞
第一の実施形態に係る階段のトラス構造体Ｔ１および第二の実施形態に係るトラス構造体Ｔ２は、いずれも二条の上弦材Ｕ，Ｕと二条の下弦材Ｌ，Ｌとを備えて構成されていたが（図１および図９参照）、図１２に示す第三の実施形態に係る階段のトラス構造体Ｔ３のように、二条の上弦材Ｕ，Ｕと一条の下弦材Ｌとを備えて構成されているものであってもよい。
【００７４】
第三の実施形態に係る階段は、上階Ｆ２と下階Ｆ１との間に架設されるトラス構造体Ｔ３と、このトラス構造体Ｔ３に支持される複数の踏板Ｓ，Ｓ，…とを備えて構成されている。
【００７５】
トラス構造体Ｔ３は、図１３および図１４に示すように、踏板Ｓの幅方向に並設された二条の上弦材Ｕ，Ｕと、この上弦材Ｕ，Ｕの中間下方において各上弦材Ｕと平行に配設された一条の下弦材Ｌと、一方の上弦材Ｕと下弦材Ｌとの間および他方の上弦材Ｕと下弦材Ｌとの間に配置された複数のラチス材３０，３０，…とを有しており、さらに本実施形態では、隣り合う上弦材Ｕ，Ｕ間に複数の上弦連結材４０，４０，…が配設されている。つまり、図１５（ｂ）にも示すように、トラス構造Ｔ３は、その左右の構面が逆ハ字状に対向しており、階段傾斜方向から見た形状が逆三角形を呈している。なお、図１５（ｂ）においては、図１５（ａ）に示す踏板Ｓおよび踏板支持フレーム材６０の図示を省略している。
【００７６】
上弦材Ｕは、図１４に示すように、階段傾斜方向に沿って等間隔に配置された複数の上弦節点部材１，１，…と、階段傾斜方向に連設された複数の上弦フレーム材１０，１０，…とを有している。なお、上弦節点部材１の構成は、第一の実施形態のものと同様であり、また、上弦フレーム材１０の構成は、第一の実施形態のものと同様であるので、これらの詳細な説明は省略する。
【００７７】
下弦材Ｌは、階段傾斜方向に沿って等間隔に配置された複数の下弦節点部材２，２，…と、階段傾斜方向に連設された複数の下弦フレーム材２０，２０，…とを有している。
【００７８】
本実施形態では、下弦節点部材２には、階段傾斜方向に隣り合う下弦フレーム材２０，２０と、一方の上弦材Ｕとの間および他方の上弦材Ｕとの間に配置される合計四本のラチス材３０とが接続されている。なお、下弦節点部材２の細部の構成は、第一の実施形態のものと同様であるので、その詳細な説明は省略するが、下弦節点部材２には、下弦フレーム材２０の端部に装着された連結ボルト２３（図１５（ａ）参照）が螺合される二つのボルト挿通孔と、ラチス材３０の端部に装着された連結ボルト３３（図１５（ａ）参照）が螺合される四つのボルト挿通孔とが、それぞれ中心に向かって穿設されている。なお、下弦フレーム材２０の構成は、第一の実施形態のものと同様であるので、その詳細な説明を省略する。
【００７９】
また、ラチス材３０、上弦連結材４０および踏板支持フレーム材６０の構成も、その長さを除いて第一の実施形態のものと同様であるので、これらの詳細な説明は省略する。
【００８０】
以上説明した本実施形態に係る階段も、溝形鋼やＩ形鋼のような重厚な部材で踏板を支持する従来の階段と異なり、軽構造かつ軽やかなトラス構造体Ｔ３で踏板Ｓ，Ｓ，…を支持する構成なので、明るく開放感があり、室内に構築しても圧迫感が無い。しかも、図１５（ｂ）に示すように、トラス構造体Ｔ３の左右の構面が逆ハ字状に対向し、且つ、階段傾斜方向から見た形状が三角形を呈しているので、シャープで斬新な印象を看者に与えることができる。また、左右の構面を鉛直にした場合と比べて、階段下の空間も広くなる。
【００８１】
また、この階段は、上弦連結材４０および踏板支持フレーム材６０を介して各踏板Ｓを上弦節点部材１，１に固定する構成であることから、ラチス材３０を水平に配置する必要がない。つまり、本実施形態に係る階段は、ラチス材３０の配置の自由度が高く、しかも、階段勾配の大きさにかかわらず常に調和のとれたラチス材３０の配置が可能となる。
【００８２】
なお、本実施形態では、二条の上弦材Ｕ，Ｕと一条の下弦材Ｌとでトラス構造体Ｔ３を構成したが、上弦材Ｕの条数および下弦材Ｌの条数はこれに限定されることはなく、適宜変更しても差し支えない。例えば、図示は省略するが、三条以上の上弦材とこれよりも一条少ない条数の下弦材とでトラス構造体を構成してもよい。この場合には、各下弦材は、左右方向に隣り合う上弦材の中間下方に位置することになり、階段傾斜方向から見た形状が逆さ台形を呈することになる。
【００８３】
＜第四の実施形態＞
前記した各実施形態に係る階段のトラス構造体Ｔ１〜Ｔ３は、いずれも複数の上弦フレーム材１０，１０，…を利用して上弦材Ｕが構成され、同じく複数の下弦フレーム材２０，２０，…を利用して下弦材Ｌが構成されていたが、図１６に示す第四の実施形態に係る階段のトラス構造体Ｔ４のように、一本の上側通し材８０を利用して上弦材Ｕが構成され、一本の下側通し材９０を利用して下弦材Ｌが構成されているものであってもよい。
【００８４】
第四の実施形態に係る階段は、上階Ｆ２と下階Ｆ１との間に架設されるトラス構造体Ｔ４と、このトラス構造体Ｔ４に支持される複数の踏板Ｓ，Ｓ，…とを備えて構成されている。
【００８５】
トラス構造体Ｔ４は、図１７（ａ），（ｂ）に示すように、踏板Ｓの幅方向に並設された二条の上弦材Ｕ，Ｕと、この上弦材Ｕ，Ｕの下方において各上弦材Ｕと平行に配設された二条の下弦材Ｌ，Ｌと、上弦材Ｕと下弦材Ｌとの間に配置された複数のラチス材３０，３０，…とを有しており、さらに本実施形態では、左右方向に隣り合う下弦材Ｌ，Ｌ間に複数の下弦連結材５０，５０，…が配設されており、左右方向に隣り合う上弦材Ｕ，Ｕ間に複数の踏板受材１００，１００，…が架設されている。また、トラス構造体Ｔ４は、その左右の構面がそれぞれ鉛直面になっており、階段傾斜方向から見た形状が長方形を呈している。なお、ラチス材３０および下弦連結材５０の構成は、第一の実施形態のものと同様であるので、その詳細な説明は省略する。
【００８６】
各上弦材Ｕは、図１６、図１７（ａ）に示すように、階段傾斜方向に沿って等間隔に配置された複数の上弦節点部材３，３，…と、階段傾斜方向に沿って配置された一本の上側通し材８０とを有している。
【００８７】
上弦節点部材３には、図１７（ａ）に示すように、階段傾斜方向に隣り合う二本のラチス材３０，３０が接続されている。上弦節点部材３は、図１７（ｂ）にも示すように、アルミニウム合金製の鋳造品、鍛造品あるいは切削品からなり、その中心に貫通孔３ｇが穿設されている。また、上弦節点部材３の下弦材Ｌ側には、取付面３ｅ，３ｅが形成されており、各取付面３ｅには、上弦節点部材３の中心に向かってボルト挿通孔が穿設されている。このボルト挿通孔には、ラチス材３０の端部に装着された連結ボルト３３が螺合される。
【００８８】
上側通し材８０は、下側に開口する断面溝形のアルミニウム合金製の押出形材からなり、その上壁８１には、図示は省略するが、上弦節点部材３の設置間隔に合せて複数の透孔が穿設されている。なお、本実施形態では、上側通し材８０の溝内に複数の上弦節点部材３，３，…が固定されている。
【００８９】
下弦節点部材４には、階段傾斜方向に隣り合う二本のラチス材３０，３０と下弦連結材５０とが接続されている。下弦節点部材４は、アルミニウム合金製の鋳造品、鍛造品あるいは切削品からなり、その中心に貫通孔４ｇが穿設されている。また、下弦節点部材４の上弦材Ｕ側には、取付面４ｅ，４ｅが形成されており、各取付面４ｅには、下弦節点部材４の中心に向かってボルト挿通孔が穿設されている。このボルト挿通孔には、ラチス材３０の端部に装着された連結ボルト３３が螺合される。また、下弦節点部材４の側面にも下弦節点部材４の中心に向かってボルト挿通孔が穿設されている。このボルト挿通孔には、図１７（ｂ）に示すように、下弦連結材５０の端部に装着された連結ボルト５３が螺合される。
【００９０】
下側通し材９０は、下側に開口する断面溝形のアルミニウム合金製の押出形材からなり、その上壁９１には、図示は省略するが、下弦節点部材４の設置間隔に合せて複数の透孔が穿設されている。なお、本実施形態では、下側通し材９０の上面に複数の下弦節点部材４，４，…が固定されている。ここで、下側通し材９０の溝を下に向けて配置したのは、下弦節点部材４を固定し易くすることと、溝内に埃が溜まるのを防ぐためである。
【００９１】
踏板受材１００は、アルミニウム合金製の中空押出形材からなる受部１０１と、この受部１０１の左右の開口部を塞ぐ蓋部１０２，１０２とを備えて構成されている。受部１０１は、階段勾配で傾斜した状態で上側通し材８０の上面に固定される下壁１０１ａと、踏板Ｓが載置固定される上壁１０１ｂとを有している。上壁１０１ｂの上面は、下壁１０１ａを上側通し材８０に固定したときに水平になる。
【００９２】
上弦節点部材３を上側通し材８０に固定するには、上側節点部材３を上側通し材８０の溝内に配置し、上側通し材８０の上面に踏板受材１００を載置したうえで、上側節点部材３の貫通孔３ｇにその下弦材Ｌ側から取付ボルト３ｈを挿通し、さらに、その軸部を上側通し材８０の透孔と踏板受材１００の透孔とに挿通して踏板受材１００の内部に突出させたうえで、取付ボルト３ｈの軸部にナットを螺合すればよい。つまり、上弦節点部材３は、下弦材Ｕ側から挿通した取付ボルト３ｈによって踏板受材１００とともに上側通し材８０に固定されることになる。
【００９３】
また、下弦節点部材４を下側通し材９０に固定するには、下側節点部材４を下側通し材９０の上面に載置したうえで、下側節点部材４の貫通孔４ｇにその上弦材Ｕ側から取付ボルト４ｈを挿通し、さらに、その軸部を下側通し材９０の透孔に挿通して下側通し材９０の溝内に突出させたうえで、取付ボルト４ｈの軸部にナットを螺合すればよい。
【００９４】
以上説明した本実施形態に係る階段も、溝形鋼やＩ形鋼のような重厚な部材で踏板を支持する従来の階段と異なり、軽構造かつ軽やかなトラス構造体Ｔ４で踏板Ｓ，Ｓ，…を支持する構成なので、明るく開放感があり、室内に構築しても圧迫感が無い。しかも、トラス構造体Ｔ４の左右の構面が互いに平行に対向しているので、斬新でありながらもオーソドックスな印象を看者に与えることができる。
【００９５】
また、この階段は、各踏板Ｓを踏板受材１００を介して上弦節点部材３，３に固定する構成であることから、ラチス材３０を水平に配置する必要がない。つまり、本実施形態に係る階段は、ラチス材３０の配置の自由度が高く、しかも、階段勾配の大きさにかかわらず常に調和のとれたラチス材３０の配置が可能となる。
【００９６】
また、一本の上側通し材８０に複数の上弦節点部材３，３，…を等間隔に配置して固定するだけで上弦材Ｕが構成され、同様に、一本の下側通し材９０に複数の下弦節点部材４，４，…を等間隔に配置して固定するだけで下弦材Ｌが構成されるので、トラス構造体Ｔ４の製造が容易になる。また、前記した各実施形態と異なり、上弦材Ｕおよび下弦材Ｌが連続した材料で構成されているので、連結部が少なく構造が簡単になる。
【００９７】
さらに、左右の上弦材Ｕ，Ｕが踏板受材１００，１００，…によって互いに連結されて一体になるので、その左右方向の変位・変形がより一層小さくなる。すなわち、階段全体の左右方向の曲げ剛性が向上するので、階段昇降時の横揺れを大幅に抑制することができる。また、踏板Ｓの中央部が踏板受材１００によって支持されることになるので、踏板Ｓの撓みも小さくなる。
【００９８】
なお、図示は省略するが、図１６に示す形式の上弦材Ｕおよび下弦材Ｌであっても、二条の上弦材Ｕ，Ｕの中間下方に二条の下弦材Ｌ，Ｌを配置すれば、トラス構造体の左右の側面が逆ハ字状に対向し、階段傾斜方向から見た形状が逆さ台形を呈することになり、二条の上弦材Ｕ，Ｕの中間下方に一条の下弦材Ｌを配置すれば、トラス構造体の左右の側面が逆ハ字状に対向し、階段傾斜方向から見た形状が逆三角形を呈することになる。
【００９９】
なお、前記した各実施形態における各節点部材と各フレーム材等との接続構造は、実開昭５９−１９４４０２等で知られている所謂ボールジョイント方式の接続構造と同様のものであるが、所謂ボールジョイント方式のものであれば、既存のものをさらに改良したものを用いることも可能である。
【図面の簡単な説明】
【０１００】
【図１】第一の実施形態に係る階段の斜視図である。
【図２】第一の実施形態に係る階段の側面図である。
【図３】第一の実施形態に係る階段のトラス構造体を説明するための拡大斜視図である。
【図４】第一の実施形態に係る階段のトラス構造体を階段傾斜面と直交する方向から見た図である。
【図５】（ａ）は、図２の拡大図、（ｂ）は（ａ）のＸ１−Ｘ１線断面図である。
【図６】上弦節点部材と上弦フレーム材の接続構造を示す分解斜視図である。
【図７】上弦フレーム材を上弦節点部材に接続する手順を説明する断面図であって、（ａ）は連結ボルトを螺合させる前の状態を示す図、（ｂ）は連結ボルトを螺合させた後の状態を示す図である。
【図８】（ａ）はトラス構造体の構面内に補強板を取り付けた状態を示す側面図、（ｂ）は（ａ）のＹ１−Ｙ１線断面図、（ｃ）は（ａ）のＹ２−Ｙ２線断面図である。
【図９】第二の実施形態に係る階段を示す斜視図である。
【図１０】第二の実施形態に係る階段のトラス構造体を説明するための拡大斜視図である。
【図１１】（ａ）は、第二の実施形態に係る階段のトラス構造体の拡大側面図、（ｂ）は（ａ）のＸ２−Ｘ２線断面図である。
【図１２】第三の実施形態に係る階段を示す斜視図である。
【図１３】第三の実施形態に係る階段のトラス構造体を説明するための拡大斜視図である。
【図１４】第三の実施形態に係る階段のトラス構造体を階段傾斜面と直交する方向から見た図である。
【図１５】（ａ）は、第三の実施形態に係る階段のトラス構造体の拡大側面図、（ｂ）は（ａ）のＸ３−Ｘ３線断面図である。
【図１６】第四の実施形態に係る階段のトラス構造体の側面図である。
【図１７】（ａ）は図１６の拡大図、（ｂ）は（ａ）のＸ４−Ｘ４線断面図である。
【符号の説明】
【０１０１】
Ｔ１〜Ｔ３  トラス構造体
Ｕ      上弦材
１      上弦節点部材
１０    上弦フレーム材
１３    連結ボルト
Ｌ      下弦材
２      下弦節点部材
２０    下弦フレーム材
２３    連結ボルト
３０    ラチス材
３３    連結ボルト
４０    上弦連結材
４３    連結ボルト
５０    下弦連結材
５３    連結ボルト
６０    踏板支持フレーム材
７０    補強板
Ｔ４    トラス構造体
３      上弦節点部材
８０    上側通し材
４      下弦節点部材
９０    下側通し材
１００  踏板受材
Ｓ      踏板
Ｒ１    手摺
Ｒ２    手摺支柱
Ｒ２３  連結ボルト
【図１】
2005315034.tif 000003
【図２】
2005315034.tif 000004
【図３】
2005315034.tif 000005
【図４】
2005315034.tif 000006
【図５】
2005315034.tif 000007
【図６】
2005315034.tif 000008
【図７】
2005315034.tif 000009
【図８】
2005315034.tif 000010
【図９】
2005315034.tif 000011
【図１０】
2005315034.tif 000012
【図１１】
2005315034.tif 000013
【図１２】
2005315034.tif 000014
【図１３】
2005315034.tif 000015
【図１４】
2005315034.tif 000016
【図１５】
2005315034.tif 000017
【図１６】
2005315034.tif 000018
【図１７】
2005315034.tif 000019